(57)【特許請求の範囲】
【請求項１】
データを受信装置に送信する送信装置において、
音声データを蓄積し、前記蓄積した音声データを、その音声データの構造を示す第１の制御情報と共に出力するオンデマンドサーバと、
外部からアナログの音声信号を入力して所定の形式のデジタルデータに変換し、変換により得られた音声データ、および所定の第２の制御情報を出力するエンコーダと、
前記オンデマンドサーバおよび前記エンコーダから出力された複数の音声データ、前記第１の制御情報、および前記第２の制御情報からなるデータ系列を入力し、複数の前記データ系列のうちの１つのデータ系列を選択して出力するマルチプレクサと、
前記マルチプレクサより出力された前記データ系列に基づいて、赤外線を出力する出力手段と、
前記受信装置が出力した赤外線を受光する受光手段と
を備えることを特徴とする送信装置。
【請求項２】
文字データを供給する文字データ供給手段
をさらに備えることを特徴とする請求項１に記載の送信装置。
【請求項３】
前記マルチプレクサは、前記出力手段に、前記受信装置を制御する第３の制御信号もさらに供給する
ことを特徴とする請求項１に記載の送信装置。
【請求項４】
前記オンデマンドサーバは、前記受光手段により受光された前記赤外線に対応する信号に基づいて、前記蓄積した音声データを出力する
ことを特徴とする請求項１に記載の送信装置。
【請求項５】
データを受信装置に送信する送信方法において、
オンデマンドサーバが、音声データを蓄積し、前記蓄積した音声データを、その音声データの構造を示す第１の制御情報と共に出力する第１の出力ステップと、
エンコーダが、外部からアナログの音声信号を入力して所定の形式のデジタルデータに変換し、変換により得られた音声データ、および所定の第２の制御情報を出力する第２の出力ステップと、
マルチプレクサが、前記オンデマンドサーバおよび前記エンコーダから出力された複数の音声データ、前記第１の制御情報、および前記第２の制御情報からなるデータ系列を入力し、複数の前記データ系列のうちの１つのデータ系列を選択して出力する第３の出力ステップと、
前記マルチプレクサより出力された前記データ系列に基づいて、赤外線を出力する第４の出力ステップと、
前記受信装置が出力した赤外線を受光する受光ステップと、
前記受光ステップより出力される信号を復調する復調ステップと
を含むことを特徴とする送信方法。
【請求項６】
データを受信装置に送信する送信装置に、
オンデマンドサーバが、音声データを蓄積し、前記蓄積した音声データを、その音声データの構造を示す第１の制御情報と共に出力する第１の出力ステップと、
エンコーダが、外部からアナログの音声信号を入力して所定の形式のデジタルデータに変換し、変換により得られた音声データ、および所定の第２の制御情報を出力する第２の出力ステップと、
マルチプレクサが、前記オンデマンドサーバおよび前記エンコーダから出力された複数の音声データ、前記第１の制御情報、および前記第２の制御情報からなるデータ系列を入力し、複数の前記データ系列のうちの１つのデータ系列を選択して出力する第３の出力ステップと、
前記マルチプレクサより出力された前記データ系列に基づいて、赤外線を出力する第４の出力ステップと、
前記受信装置が出力した赤外線を受光する受光ステップと、
前記受光ステップより出力される信号を復調する復調ステップと
を含む処理を実行させるコンピュータが読み取り可能なプログラムが記録されていることを特徴とする提供媒体。
【請求項７】
送信装置が受信装置に、データを伝送する伝送システムにおいて、
前記送信装置は、
音声データを蓄積し、前記蓄積した音声データを、その音声データの構造を示す第１の制御情報と共に出力するオンデマンドサーバと、
外部からアナログの音声信号を入力して所定の形式のデジタルデータに変換し、変換により得られた音声データ、および所定の第２の制御情報を出力するエンコーダと、
前記オンデマンドサーバおよび前記エンコーダから出力された複数の音声データ、前記第１の制御情報、および前記第２の制御情報からなるデータ系列を入力し、複数の前記データ系列のうちの１つのデータ系列を選択して出力するマルチプレクサと、
前記マルチプレクサより出力された前記データ系列、および前記受信装置を制御する第３の制御情報に基づいて、赤外線を出力する第１の出力手段と、
前記受信装置が出力した赤外線を受光する第１の受光手段と
を備え、
前記受信装置は、
前記第１の出力手段が出力した赤外線を受光する第２の受光手段と、
前記第２の受光手段より出力される信号を復調する復調手段と、
前記復調手段よる復調により得られた前記データ系列の音声データを選択する選択手段と、
前記復調手段よる復調により得られた前記第３の制御信号に対応して、前記送信装置に赤外線信号を出力する第２の出力手段と
を備えることを特徴とする伝送システム。
【発明の詳細な説明】
【０００１】
【発明の属する技術分野】
本発明は、送信装置、送信方法、提供媒体、並びに伝送システムに関し、特に、受信側が要求する、または受信側の状態に適した、多数のチャンネルで供給された信号を、赤外線で伝送する送信装置、送信方法、提供媒体、並びに伝送システム。
【０００２】
【従来の技術】
従来の、例えば会議システム、語学学習（ＬＬ）システム、または案内システムなどから送信される音声信号や関連する文字などを表示する為の信号などを、例えば、イヤホンやヘッドフォン等の音響機器、または表示装置に伝送する場合に、それらの機器間をケーブルなどの物理的な伝送線で接続することが一般的に必要である。しかしながら、多数の参加者のある会議に用いられる会議システムでは、参加者の数だけの多数の配線が必要となる。また、同様に多数のユーザが用いるＬＬシステムでも、配線が多量に必要で、これらのシステムを設置するための、専用の会議場や専用の教室などが必要となり、一度会議システムまたはＬＬシステムを設置すると、容易に移動はできない。
【０００３】
更に、１つの音声ソースをエンドレスで繰り返し再生する案内システムでは、ヘッドフォン等を介して使用する場合には、そのユーザの行動が、配線によって制約される。また、配線を伴うこのような案内システムでは、システムの設置場所に一定以上のスペースが必要である、同時に使用するユーザ数が配線の長さにより制約される、美観への影響が大きい等、制約が大きい。他方、スピーカを使用したＰＡ(Public Address)装置を使用した案内システムの場合、スピーカから出力される音声の干渉によって、再生される音声情報のチャンネルは制限され、チャンネルの選択ができたとしても一定以上の距離が必要であるなど物理的な制限が伴うのが通常である。その為、このようなユーザは何時でもその説明の最初から、または他の任意の箇所から聞くことができるとは限らず、再生途中から聞き始めた場合は、説明が一度終了して所望の箇所に戻るまでの時間を必要とする。
【０００４】
ここで、ユーザ側の音響機器または表示装置に信号を送る配線の他、ユーザの欲する情報を伝送するチャンネルを選択する選択信号などを信号供給側に送る配線が必要である。
【０００５】
【発明が解決しようとする課題】
このように、従来の会議システム、語学学習システム、または案内システムは、ユーザの数だけ配線を必要とし、システムそのものも高価となり、設置や変更に多数の労力を必要とされ、更には、ユーザの行動が制限されるという課題があった。
【０００６】
本発明は、このような状況に鑑みてなされたものであり、配線の制約なしに、受信側が要求する、または受信側の状態に適した、多数のチャンネルで供給された信号を、伝送することを目的とする。
【０００７】
【課題を解決するための手段】
請求項１に記載の送信装置は、音声データを蓄積し、蓄積した音声データを、その音声データの構造を示す第１の制御情報と共に出力するオンデマンドサーバと、外部からアナログの音声信号を入力して所定の形式のデジタルデータに変換し、変換により得られた音声データ、および所定の第２の制御情報を出力するエンコーダと、オンデマンドサーバおよびエンコーダから出力された複数の音声データ、第１の制御情報、および第２の制御情報からなるデータ系列を入力し、複数のデータ系列のうちの１つのデータ系列を選択して出力するマルチプレクサと、マルチプレクサより出力されたデータ系列に基づいて、赤外線を出力する出力手段と、受信装置が出力した赤外線を受光する受光手段とを備えることを特徴とする。
【０００８】
請求項５に記載の送信方法は、オンデマンドサーバが、音声データを蓄積し、蓄積した音声データを、その音声データの構造を示す第１の制御情報と共に出力する第１の出力ステップと、エンコーダが、外部からアナログの音声信号を入力して所定の形式のデジタルデータに変換し、変換により得られた音声データ、および所定の第２の制御情報を出力する第２の出力ステップと、マルチプレクサが、オンデマンドサーバおよびエンコーダから出力された複数の音声データ、第１の制御情報、および第２の制御情報からなるデータ系列を入力し、複数のデータ系列のうちの１つのデータ系列を選択して出力する第３の出力ステップと、マルチプレクサより出力されたデータ系列に基づいて、赤外線を出力する第４の出力ステップと、受信装置が出力した赤外線を受光する受光ステップと、受光ステップより出力される信号を復調する復調ステップとを含むことを特徴とする。
【０００９】
請求項６に記載の提供媒体は、オンデマンドサーバが、音声データを蓄積し、蓄積した音声データを、その音声データの構造を示す第１の制御情報と共に出力する第１の出力ステップと、エンコーダが、外部からアナログの音声信号を入力して所定の形式のデジタルデータに変換し、変換により得られた音声データ、および所定の第２の制御情報を出力する第２の出力ステップと、マルチプレクサが、オンデマンドサーバおよびエンコーダから出力された複数の音声データ、第１の制御情報、および第２の制御情報からなるデータ系列を入力し、複数のデータ系列のうちの１つのデータ系列を選択して出力する第３の出力ステップと、マルチプレクサより出力されたデータ系列に基づいて、赤外線を出力する第４の出力ステップと、受信装置が出力した赤外線を受光する受光ステップと、受光ステップより出力される信号を復調する復調ステップとを含む処理を実行させるコンピュータが読み取り可能なプログラムが記録されていることを特徴とする。
【００１３】
請求項７に記載の伝送システムは、送信装置は、音声データを蓄積し、蓄積した音声データを、その音声データの構造を示す第１の制御情報と共に出力するオンデマンドサーバと、外部からアナログの音声信号を入力して所定の形式のデジタルデータに変換し、変換により得られた音声データ、および所定の第２の制御情報を出力するエンコーダと、オンデマンドサーバおよびエンコーダから出力された複数の音声データ、第１の制御情報、および第２の制御情報からなるデータ系列を入力し、複数のデータ系列のうちの１つのデータ系列を選択して出力するマルチプレクサと、マルチプレクサより出力されたデータ系列、および受信装置を制御する第３の制御情報に基づいて、赤外線を出力する第１の出力手段と、受信装置が出力した赤外線を受光する第１の受光手段とを備え、受信装置は、第１の出力手段が出力した赤外線を受光する第２の受光手段と、第２の受光手段より出力される信号を復調する復調手段と、復調手段よる復調により得られたデータ系列の音声データを選択する選択手段と、復調手段よる復調により得られた第３の制御信号に対応して、送信装置に赤外線信号を出力する第２の出力手段とを備えることを特徴とする。
【００１４】
請求項１に記載の送信装置、請求項６に記載の送信方法、請求項７に記載の提供媒体、並びに請求項８に記載の伝送システムにおいて、送信側は、供給されたデータ系列を赤外線にて出力し、受信側より出力された赤外線を受光する。受信側は、受光した赤外線に含まれるデータ系列に対応して送信側に赤外線で信号を出力する。
【００１５】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１６】
すなわち、請求項１に記載の送信装置は、音声データを蓄積し、蓄積した音声データを、その音声データの構造を示す第１の制御情報と共に出力するオンデマンドサーバ（例えば、図１のＯＤサーバ１１−１乃至１１−ｉ）と、外部からアナログの音声信号を入力して所定の形式のデジタルデータに変換し、変換により得られた音声データ、および所定の第２の制御情報を出力するエンコーダ（例えば、図１のエンコーダ１２−１乃至１２−ｊ）と、オンデマンドサーバおよびエンコーダから出力された複数の音声データ、第１の制御情報、および第２の制御情報からなるデータ系列を入力し、複数のデータ系列のうちの１つのデータ系列を選択して出力するマルチプレクサ（例えば、図１のマルチプレクサ１４−１）と、マルチプレクサより出力されたデータ系列に基づいて、赤外線を出力する出力手段（例えば、図１の赤外線エミッタ２２）と、受信装置が出力した赤外線を受光する受光手段（例えば、図１の赤外線ディテクタ２４）とを備えることを特徴とする。
【００１８】
請求項７に記載の伝送システムは、送信装置は、音声データを蓄積し、蓄積した音声データを、その音声データの構造を示す第１の制御情報と共に出力するオンデマンドサーバ（例えば、図１のＯＤサーバ１１−１乃至１１−ｉ）と、外部からアナログの音声信号を入力して所定の形式のデジタルデータに変換し、変換により得られた音声データ、および所定の第２の制御情報を出力するエンコーダ（例えば、図１のエンコーダ１２−１乃至１２−ｊ）と、オンデマンドサーバおよびエンコーダから出力された複数の音声データ、第１の制御情報、および第２の制御情報からなるデータ系列を入力し、複数のデータ系列のうちの１つのデータ系列を選択して出力するマルチプレクサ（例えば、図１のマルチプレクサ１４−１）と、マルチプレクサより出力されたデータ系列、および受信装置を制御する第３の制御情報に基づいて、赤外線を出力する第１の出力手段（例えば、図１の赤外線エミッタ２２）と、受信装置が出力した赤外線を受光する第１の受光手段（例えば、図１の赤外線ディテクタ２４）とを備え、受信装置は、第１の出力手段が出力した赤外線を受光する第２の受光手段（例えば、図１８の赤外線ディテクタ５１）と、第２の受光手段より出力される信号を復調する復調手段（例えば、図１８の受信機５２）と、復調手段よる復調により得られたデータ系列の音声データを選択する選択手段（例えば、図１８のゲート５４）と、復調手段よる復調により得られた第３の制御信号に対応して、送信装置に赤外線信号を出力する第２の出力手段（例えば、図１８の赤外線エミッタ６１）とを備えることを特徴とする。
【００１９】
本発明に係る送信装置からの複数のチャンネルを有する音声信号や関連する文字などの信号は、赤外線を利用した光伝送信号により、１または複数の受信装置に送られ、各受信装置からの音声のチャンネルの選択や受信装置自身の状態を示す信号も、赤外線を利用した光伝送信号により送信装置に送られる。図１は、本発明の送信装置の一実施の形態の構成を示すブロック図である。ＯＤ(On-Demand)サーバ１１−１乃至１１−ｉは、音声データを蓄積し、その蓄積した音声データを、音声データの構造等を示す所定の制御情報と共にマルチプレクサ１４−１に供給するようになされている。エンコーダ１２−１乃至１２−ｊは、外部からアナログの音声信号を入力し、所定の形式のデジタルデータに変換し、所定の制御情報と変換した音声のデータをマルチプレクサ１４−１に供給するようになされている。ＮＯＤ（Near-On-Demand)サーバ１３は、音声データを蓄積し、ｍ数の出力系統から、制御情報と音声データからなるＮＯＤデータを、マルチプレクサ１４−２に供給するようになされている。
【００２０】
マルチプレクサ１４−１は、ＯＤサーバ１１−１乃至１１−ｉおよびエンコーダ１２−１乃至１２−ｊからの複数のデータ系列を入力し、ＣＰＵ（Central Processing Unit)１６−１からの信号によって、１つのデータ系列を選択して出力するようになされている。マルチプレクサ１４−１の出力は、マルチプレクサ１４−３に供給されるようになされている。マルチプレクサ１４−２は、ＮＯＤサーバ１３からの複数のデータ系列の入力から、ＣＰＵ１６−１からの信号によって、１つのデータ系列を選択して出力するようになされている。マルチプレクサ１４−２の出力は、マルチプレクサ１４−３に供給するようになされている。
【００２１】
ＣＰＵ１６−２は、外部からの蓄積モード文字データと実時間表示モード文字データを入力し、マルチプレクサ１４−３に文字データを供給するようになされている。ここで、蓄積モード文字データは、受信装置２−１乃至２−ｋ（以下、受信装置２−１乃至２−ｋを個々に区別する必要がない場合、単に受信装置２と記述する）内に、一度文字データ全体が蓄積され、一括して表示される文字データである。他方、実時間表示モード文字データは、受信装置２で、映画の字幕のように連続して実時間で順次送信され、順次表示される文字データである。ＣＰＵ１６−１からの文字データの出力を要求する信号と送信のタイミングを示す信号が、ＣＰＵ１６−２に供給するようになされている。ＣＰＵ１６−３は、外部からのリモコンデータを入力し、マルチプレクサ１４−３にリモコンデータを供給するようになされている。ＣＰＵ１６−１からのリモコンデータを要求する信号と送信のタイミングを示す信号が、ＣＰＵ１６−３に供給するようになされている。
【００２２】
マルチプレクサ１４−３からデータブロック出力は、送信機２１に供給するようになされている。ＣＰＵ１６−１からのソース情報出力は、送信機２１に供給するようになされている。送信機２１から、マルチプレクサ１４−１乃至１４−３、ＣＰＵ１６−２、およびＣＰＵ１６−３の信号出力のタイミングをコントロールするための、ブロックインデックス信号およびデータクロック信号の出力が、ＣＰＵ１６−１に供給するようになされている。
【００２３】
送信機２１からの変調された信号の出力は、赤外線エミッタ２２に供給するようになされている。すなわち、所定の副搬送波を、例えばＱＰＳＫ(Quadrature Phase Shift Keying)変調や、ＴＣＭ(Trellis Coded Modulation)変調と８ＰＳＫ(Eight Phase Shift Keying)変調とを組み合わせた位相偏移変調（デジタル位相変調）し、これにより得られるＲＦ(Radio Frequency)信号である変調信号を赤外線エミッタ２２に出力する。
【００２４】
赤外線エミッタ２２は、例えば増幅回路、発光ダイオード（またはレーザダイオード）、レンズ、および光フィルタなどから構成される赤外線の発光器で、送信機２１からの変調信号に基づいて赤外線を発光し、これにより、主搬送波たる赤外線を変調した変調赤外線を出力する。この変調赤外線は、空間を伝搬して、受信装置２で、受光される。ここで、ＥＩＡＪのＣＰ−１２０５およびＩＥＣ−１６０３によれば、赤外線による音声信号（音響信号）の伝送には、２ＭＨｚ乃至６ＭＨｚの周波数帯域が割り当てられている。この周波数帯域のうち、２ＭＨｚ乃至３ＭＨｚは、現在、主として、アナログ音響信号の伝送に使用されているので、本実施の形態では、送信装置１からの、信号は、例えば３ＭＨｚ乃至６ＭＨｚの周波数帯域を、伝送帯域として送信されるようになされている。
【００２５】
赤外線ディテクタ２４は、受信装置２から出力されて、空間を伝搬してきた、変調赤外線を受光するようになされている。赤外線ディテクタ２４は、例えば光フィルタ、レンズ、フォトダイオード（またはフォトトランジスタ）などから構成される赤外線の受光器で、受光した赤外線に対応する信号（受信信号）を出力するようになされている。従って、この場合、赤外線ディテクタ２４からは、変調赤外線に対応する信号、即ち、受信装置２から出力された変調信号に相当するＲＦ信号が出力される。ここで、受信装置２では、出力信号を、４５５ＫＨｚを副搬送波としたＡＳＫ(Amplitude Shift Keying)変調して、主搬送波たる赤外線を変調した変調赤外線として出力する。
【００２６】
受信機２３は、赤外線ディテクタ２４から出力された変調信号を供給されるようになされている。受信機２３は、供給された変調信号を復調し、ＣＰＵ１６−１およびＣＰＵ１６−４に供給するようになされている。ここで、送信装置１から出力される変調赤外線と受信装置２から出力される変調赤外線は、副搬送波の周波数と変調方式が異なる為、赤外線同士の干渉による信号の誤り発生はない。
【００２７】
ＣＰＵ１６−４のＯＤサーバを制御する信号出力は、ＯＤサーバ１１−１乃至１１−ｉに供給されるようになされている。
【００２８】
図２に送信機２１から出力される、ブロックインデックス信号の波形の例を示す。各サーバやエンコーダからのデータを含むデータブロック、およびデータブロックの形式などを示すソース情報は、ブロックインデックス信号に同期して、４ｍｓ毎に送信器２１に入力され、受信装置２に送信される。
【００２９】
図３は、マルチプレクサ１４−３から送信機２１に供給されるデータブロック構成の例を示す図である。１つのデータブロックは１５３６タイムスロットからなり、それぞれのタイムスロットには、１バイトのデータが挿入される。１データブロックは、ブロックインデックス信号の間に、送信機２１から供給されるデータクロック信号に同期した各タイムスロット毎に、送信機２１に読み込まれる。
【００３０】
図４は、ＣＰＵ１６−１から送信器２１に供給されるソース情報の構成の例を示す図である。１つのソース情報は４０バイトからなる。１ソース情報は、ブロックインデックス信号の間に、送信機２１から供給されるデータクロック信号に同期して、１バイト毎に送信機２１に読み込まれる。
【００３１】
図５は、データブロック内のデータ配列の概略の構成を示す図である。各タイムスロットは、伝送される各々のチャンネルの音声信号あるいは文字表示などに必要なビットレートを満足するように割り当てられる。すなわち、各チャンネル毎に必要なタイムスロット数が割り当てられる。この各チャンネル毎の占有スロット数は、その他の情報と共にソース情報に記憶される。各チャンネルのデータは、先頭に１乃至２バイトからなる制御情報を付加され、スロット内に配置される。制御情報とデータをあわせたブロック内の送信単位を、セグメントと呼ぶ。
【００３２】
図５に示した例では、音声１チャンネルのセグメント、音声２チャンネルのセグメント、・・・、ＮＯＤ音声のセグメント、・・・、文字データ１、文字データ２、リモコンデータ１、リモコンデータ２の順にブロック内に配置される。１ブロックで送信されるデータが、１５３６タイムスロット以下しか必要としない場合、ブロックの後部にデータを挿入しない空きスロットができる。このように、各々のチャンネルの音声データあるいは文字表示データは、占有タイムスロット数を単位として、４ｍｓ毎に送信される。
【００３３】
図６は、ＮＯＤ音声メッセージの構成を示す図である。ＮＯＤサーバ１３から出力されるＮＯＤ音声メッセージは、Ｎ個のＮＯＤブロックに分割され、その先頭からＮＯＤブロック１、ＮＯＤブロック２、・・・、ＮＯＤブロックＮとされる。音声として出力される際のチャンネルは、チャンネル１にＮＯＤブロック１の音声が、チャンネル２にＮＯＤブロック２の音声が、チャンネル３にＮＯＤブロック３の音声が、以後同様にチャンネルＮまで割り付けられる。ＮＯＤ音声データの１セグメントは、各ＮＯＤブロックの先頭から、所定かつ各ＮＯＤブロックに共通の時間だけ経過した、ＮＯＤブロック１乃至Ｎの全ての４ｍｓの時間の音声データを受信装置２に供給する。
【００３４】
図７は、ソース情報内の、図５のデータブロックの先頭に挿入された、音声チャンネルデータに対する部分の構成を示す図である。ソース情報の最初のバイトのＬＳＢ(Least Significant Bit)側の連続した２ビットは、カテゴリフラグで、送信データの分類を示す。カテゴリフラグが、００のとき、そのソース情報は音声チャンネルの情報で、３バイトからなることを示す。最初のバイトの他の６ビットは、多チャンネル音声の１チャンネル当たりの占有タイムスロット数を示す。データブロックの伝送頻度は、１秒間に２５０回であるから、１スロット（８ビット）当たり、２Ｋｂｐｓの速度でデータ転送が可能である。６ビットの幅を有する占有タイムスロット数は、１乃至６４までのタイムスロットを指定可能であるから、送信装置１は、２乃至１２８Ｋｂｐｓの音声データを送信できる。
【００３５】
２バイト目のＬＳＢ側の連続した５ビットは、符号化方式を示し、３２種類の符号化形式から選択される。２バイト目の残りの３ビットと３バイト目は、音声チャンネルの数を示す。音声チャンネル数は１１ビットで示されるので、最大２０４８チャンネルまで指定が可能であるが、タイムスロット数が１５３６なので、制御情報を考慮すると、実質最大７６８チャンネルの音声が送信可能である。
【００３６】
図８は、ソース情報内のＮＯＤ音声データに対する部分の構成を示す図である。最初のバイトのＬＳＢ側の連続した２ビットは、カテゴリフラグで、０１のとき、そのソース情報はＮＯＤ音声の情報で、３バイトからなることを示す。最初のバイトの他の６ビットは、ＮＯＤ音声の１ＮＯＤブロック当たりの占有タイムスロット数を示す。２バイト目のＬＳＢ側の連続した５ビットは、符号化方式を示し、３２種類の符号化形式から選択される。２バイト目の残りの３ビットと３バイト目は、ＮＯＤブロックの数を示す。最大のＮＯＤブロック数は、最大２０４８ブロックまで指定が可能であるが、タイムスロット数が１５３６なので、制御情報を考慮すると、実質最大１５３４ＮＯＤブロックが送信可能である。
【００３７】
図９は、文字データについてのソース情報の構成を示す図である。最初のバイトのＬＳＢ側の連続した２ビットは、カテゴリフラグで、１０のとき、そのソース情報は文字データの情報で、１バイトからなることを示す。他の６ビットは、文字データの占有タイムスロット数を示す。
【００３８】
図１０は、リモートコントロールデータに対する部分のソース情報の構成を示す図である。最初のバイトのＬＳＢ側の連続した２ビットは、カテゴリフラグで、１１のとき、そのソース情報はリモートコントロールデータの情報で、１バイトからなることを示す。他の６ビットは、リモートコントロールデータの占有タイムスロット数を示す。
【００３９】
図１１は、音声チャンネルの１セグメント内の構成を示す図である。制御情報は、先頭のタイムスロットに挿入され、そのＭＳＢ(Most Significant Bit)側の連続した２ビットに、ＦＲＩＤ(Frame ID)が配置され、その他の６ビットに有効データ長が配置される。ＦＲＩＤは、００のとき送信される音声データがフレーム構造をとらないことを示す。ＦＲＩＤが、００以外の値をとるとき、音声データはフレーム構造化されていることを示す。音声データが、フレーム構造化されている場合には、受信機で音声をデコードするために、フレーム単位を認識する必要がある。ＦＲＩＤは、０１のときセグメントはフレームの先頭であることを、１０のときセグメントはフレームの中間であることを、１１のときセグメントはフレームの末尾であることを表す。
【００４０】
音声データの転送速度が２Ｋｂｐｓの整数倍でない場合は、タイムスロット数が、整数にならない。有効データ長は、これを調整するための情報を有し、ブロック単位で、この値によってセグメント内の有効タイムスロット数を可変できる。
【００４１】
図１２は、ＮＯＤ音声データの１セグメント内の構成を示す図である。ＮＯＤ音声データの１セグメントは、２タイムスロットを占有する制御情報とＮＯＤチャンネル１乃至Ｎそれぞれの音声を構成するＮＯＤ  ＣＨ  １データ乃至ＮＯＤＣＨ  Ｎデータから成る。制御情報の１バイト目は、ＦＲＩＤと有効データ長からなる。ＦＲＩＤは、音声チャンネル場合と同じであるので、説明を省略する。有効データ長は、音声チャンネルの場合と同じで、ＮＯＤ  ＣＨ１データ乃至ＮＯＤ  ＣＨ  Ｎデータに共通する。
【００４２】
制御情報の２バイト目のＭＳＢ側の連続した２ビットに、ＮＯＤＩＤ(NOD Block ID)が配置され、その他の６ビットは使用しない。ＮＯＤＩＤは、０１のときセグメントはＮＯＤブロックの先頭であることを、１０のときセグメントはＮＯＤブロックの中間であることを、１１のときセグメントはＮＯＤブロックの末尾であることを表す。ＮＯＤＩＤでは、００は使用しない。制御情報の次のタイムスロットから、ＮＯＤブロック１データ乃至Ｎデータは、ブロックの番号の順に、すなわち、ＮＯＤブロック１データ、ＮＯＤブロック２データ、ＮＯＤブロック３データ、・・・のように、各タイムスロットに挿入される。
【００４３】
図１３は、データブロック内の文字データの構成を示す図である。ＬＳＢには、ＶＬＤ(valid/invalid)の情報が記憶される。１文字当たりの１６ビットである場合に、４つのデータブロックで１文字伝送されることになり、受信機２は、１秒間に６２文字表示できる。実時間表示文字データを転送する場合、文字が次々と入れ替わる為、毎秒６２文字の表示では早すぎてユーザが文字を識別できない。そこで、ＶＬＤが０のとき、文字データは無効であり、１のとき文字データは有効であるとして、文字データの転送速度の調整のために使用される。また、蓄積モード文字データを転送する場合、ＶＬＤが１のとき、文字データの始まりであることを示す。
【００４４】
下位から２ビット目ＲＴ(Real Time)は、０のとき文字データが蓄積モードであり、１のとき実時間表示モードであることを示す。下位から３ビット目Ｐ／Ｓ(Pararell/Serial)は、０のとき文字データがニブル単位での伝送であることを示し、１のとき４系統の１ビット直列伝送であることを示す。下位から４ビット目ＣＳＹ(Character Sync)は、文字データに対する同期信号である。下位から５ビット目乃至８ビット目は、文字データが挿入される。
【００４５】
図１４は、データブロック内のリモコンデータの構成を示す図である。リモコンデータは２バイトで構成され、最初のバイトおよび次のバイトの下位２ビットの計１０ビットはＤＳＴ(Destination)番号を表す。ＤＳＴ番号は、遠隔操作の対象である受信装置２を特定する番号である。２バイト目の上位６ビットは、ＯＰ(Operation Code)で、受信装置２に対する操作の種類を示す。例えば、受信装置２に、自身の状態を示す信号を発生させる操作がある。
【００４６】
図１５は、図１の送信機２１の構成例を示している。マルチプレクサ１４−３からのデータブロックの信号、およびＣＰＵ１６−１からのソース情報の信号は、入力Ｉ／Ｆ回路３１に入力されるようになされている。入力Ｉ／Ｆ回路３１は、データブロック信号およびソース情報信号から、そのデータクロックを抽出し、入力回路３２に出力する。入力回路３２は、データクロックを伝送チャンネルクロック生成回路３３に供給する。伝送チャンネルクロック生成回路３３は、例えばＰＬＬ（Phase Lock Loop）回路、分周回路、逓倍回路などから構成され、入力回路３２からのデータクロックの５／４倍の周波数の伝送チャンネルクロックを生成する。この伝送チャンネルクロックは、伝送フォーマット生成回路３６および変調回路３７に供給され、これにより、伝送フォーマット生成回路３６および変調回路３７は、伝送チャンネルクロックに対応して動作する。
【００４７】
その結果、変調回路３７からは、伝送チャンネルクロックのタイミングで、変調信号が出力される。即ち、変調信号は、データブロック信号およびソース情報信号のデータクロックの５／４倍の周波数に相当する伝送速度で伝送されることとなり、送信機２１から、赤外線エミッタ２２を介して、受信装置２に伝送されるデータの伝送レートと、データブロックとソース情報のデータレートとの比は、５／４となる。なお、変調回路３７において、例えば、ＱＰＳＫ変調が行われるとした場合、即ち、伝送フォーマット生成回路３６から出力される、データブロックを含むデータを２ビット単位にしたシンボルに対し、ディジタル位相変調が施されるとした場合、伝送チャンネルクロックの周波数が、データクロックの５／４倍の周波数となっているときには、その周波数は、シンボルクロック（シンボルレート）の５／８（＝５／４×１／２）倍にもなっている。
【００４８】
入力Ｉ／Ｆ回路３１は、上述したように、入力されたデータブロック信号とソース情報信号からデータクロックを抽出する他、そのデータブロックとソース情報を所定のフォーマットに変換し、入力回路３２に出力する。入力回路３２は、入力Ｉ／Ｆ回路３１から所定のフォーマットに変換されたデータブロックとソース情報を受信すると、それを、適宜、バスを介してバッファ回路３４に出力する。バッファ回路３４は、入力回路３１からのデータブロックとソース情報を、１バイト単位で記憶するようになされている。即ち、バッファ回路３４は、例えば図１６に示すように、データブロックを１バイト単位で、Ｌ方向（左から右方向）に記憶していき、４８バイトのデータブロックを記憶すると、その１段下に、やはり１バイト単位で、Ｌ方向にデータブロックを記憶していく。そして、その段に、４８バイトのデータブロックを記憶すると、さらに、その下の段に、１バイト単位でデータブロックを記憶していき、以下、Ｍ方向（上から下方向）に、３２バイトのデータブロックが記憶されるまで、同様の処理を繰り返す。
【００４９】
即ち、バッファ回路３４のアドレス（メモリアドレス）を、ＬおよびＭ方向の座標（Ｌ，Ｍ）で表し、その最も左上のアドレスを（０，０）として、左方向または下方向に、ＬまたはＭ座標がそれぞれ増加していくものとすると、入力回路３２からのデータブロックは、次のような順序（書き込み順序）で、バッファ回路３４に書き込まれる。
【００５０】
(0,0),(1,0),(2,0),・・・,(46,0),(47,0),
(0,1),(1,1),(2,1),・・・,(46,1),(47,1),
(0,2),(1,2),(2,2),・・・,(46,2),(47,2),
・                  ・
・                  ・
・                  ・
(0,31),(1,31),(2,31),・・・,(46,31),(47,31),
【００５１】
以上のようにして、バッファ回路３４には、データブロックが、記憶される。
【００５２】
次に、バッファ回路３４のその下の段に、１バイト単位でソース情報を記憶する。すなわち、ソース情報が、アドレス（０，３２）から順次、アドレス（３９，３２）まで記憶される。更に、入力回路３２は、データブロックが何番目かを示す、８バイトからなる伝送情報を出力する。バッファ回路３４は入力された伝送情報を、アドレス（４０，３２）乃至（４７，３２）に書き込む。
【００５３】
バッファ回路３４に、４８×３３バイトのデータブロック、ソース情報、および伝送情報が記憶されると、パリティ付加回路３５は、バッファ回路３４からバスを介して、音響データを読み出し、その音響データの誤り訂正のための誤り訂正符号（パリティ）（ＥＣＣ）を生成する。そして、パリティ付加回路３５は、データブロック、ソース情報、および伝送情報に対し、誤り訂正符号を付加し、再び、バスを介して、バッファ回路３４に記憶させる。
【００５４】
即ち、パリティ付加回路３５は、図１６に示すように、バッファ回路３４から、右斜め下方向（直線Ｍ＝Ｌと平行な方向）に、４８バイトのデータブロック、ソース情報、および伝送情報を読み出し、そのデータブロック、ソース情報、および伝送情報に対応する、例えば１０バイトの誤り訂正符号を計算する。そして、パリティ付加回路３５は、４８バイトのデータブロック、ソース情報、および伝送情報を、バッファ回路３４の元の位置に書き込み、さらに、それに続いて、誤り訂正符号を書き込む。以下、同様の処理を、バッファ回路３４に記憶されているデータブロック、ソース情報、および伝送情報すべてについて繰り返す。
【００５５】
具体的には、例えば、アドレス(0,0),(1,1),(2,2),・・・,(31,31),(32,31),(33,0),(34,1),・・・,(47,14)に記憶されたデータブロック、ソース情報、および伝送情報が、バッファ回路３４から読み出され、そのデータブロック、ソース情報、および伝送情報に対する１０バイトの誤り訂正符号が計算される。そして、データブロック、ソース情報、および伝送情報は、上述と同一のアドレスに記憶され、誤り訂正符号は、アドレス(47,14)の右斜め下方向に続くアドレス(48,15),(49,16),(50,17),・・・,(56,23),(57,24)に記憶される。
【００５６】
次に、アドレス(0,1),(1,2),(2,3),・・・,(31,32),(32,0),(33,1),(34,2),・・・,(47,15),(48,16)に記憶されたデータブロック、ソース情報、および伝送情報が、バッファ回路３４から読み出され、そのデータブロック、ソース情報、および伝送情報に対する１０バイトの誤り訂正符号が計算される。そして、データブロック、ソース情報、および伝送情報は、上述と同一のアドレスに記憶され、誤り訂正符号は、アドレス(48,16)の右斜め下方向に続くアドレス(49,17),(50,18),(51,19),・・・,(56,24),(57,25)に記憶される。
【００５７】
以下、アドレス(0,32),(1,0),(2,1),・・・,(31,30),(32,31),(33,32),(34,0),・・・,(46,12),(47,13)に記憶されたデータブロック、ソース情報、および伝送情報に対する誤り訂正符号が、アドレス(48,14),(49,15),(50,16),・・・,(56,22),(57,23)に記憶されるまで、同様の処理が繰り返される。
【００５８】
従って、パリティ付加回路３５は、１５８４（＝４８×３３）バイトのデータブロック、ソース情報、および伝送情報に、３３０（＝１０×３３）バイトの誤り訂正符号を付加して、１５８４バイトのデータブロック、ソース情報、および伝送情報と、３３０バイトの誤り訂正符号とを１単位に構造化する（伝送フォーマット生成回路１５で扱われる単位のデータを生成する）。
【００５９】
なお、本実施の形態では、例えば誤り訂正符号として、ガロア体Ｇ（２8）上で定義されたリードソロモン（Reed-Solomon）符号が用いられる。また、このリードソロモン符号の符号長は（５８，４８）などとされており、その符号長ｄは１１などとされている。但し、リードソロモン符号の符号長は（５８，４８）に限定されるものではなく、例えば、（３８，３２）その他などにすることが可能である。
【００６０】
バッファ回路３４に記憶されたデータブロック、ソース情報、および伝送情報すべてに対し、上述したように誤り訂正符号が付加されると、伝送フォーマット生成回路３６は、例えば図１６に示すように、バッファ回路３４に記憶されたデータを１バイト単位で、アドレス(0,0)から、Ｍ方向（上から下方向）に読み出す。即ち、伝送フォーマット生成回路３６は、次のような順序（読み出し順序）でバッファ回路３４から、データを読み出す。
【００６１】
(0,0),(0,1),(0,2),・・・,(0,31),(0,32),
(1,0),(1,1),(1,2),・・・,(1,31),(1,32),
(2,0),(2,1),(2,2),・・・,(2,31),(2,32),
・                  ・
・                  ・
・                  ・
(57,0),(57,1),(57,2),・・・,(57,31),(57,32)
【００６２】
このように、誤り訂正符号が付加されたデータブロック、ソース情報、および伝送情報は、バッファ回路３４に対する書き込み順序と異なる読み出し順序で読み出されることでインターリーブされる。従って、バーストエラーに対する誤り訂正能力を向上させることができる。
【００６３】
そして、伝送フォーマット生成回路３６は、バッファ回路３４に記憶されるデータブロック、ソース情報、伝送情報、および誤り訂正符号のデータ量に等しいデータ量、即ち、１９１４（４８×３３＋１０×３３）バイトのデータ（図１７中、送信ブロック）ごとに、図１７に示すような、受信装置２において同期をとるための４バイトからなるシンクデータと、必要な情報が記述された２バイトからなるヘッダとを付加し、伝送用のフォーマットのデータ（以下、適宜、伝送データという）に変換する。
【００６４】
なお、シンクとしては、直流分が集中しないような、パターンが用いられる。即ち、例えば、変調回路１６においてＱＰＳＫ変調を行う場合においては、パートシンクとしては、「01111011111111111111111111111111」や「01111011011110110111101101111011」などが、チャプタシンクとしては、「11111111111111111111111111111111」や「01111011011110110111101111111111」などが用いられる。ヘッダには、データブロックでのタイムスロットの使われ方に関する情報をまとめて格納する。
【００６５】
伝送フォーマット生成回路３６から出力された伝送データは、変調回路３７に供給され、そこで、例えばＱＰＳＫ変調やＴＣＭ８ＰＳＫ変調などの位相偏移変調される。ここで、変調回路３７では、ＴＣＭ変調と８ＰＳＫ変調とを組み合わせた変調ではなく、例えば、８ＰＳＫ変調だけを施すようにすることも可能であるが、８ＰＳＫだけでは、ＱＰＳＫ変調だけの場合に比較して、判定すべき情報点どうしの距離が短くなるため、エラーレートが増加することになる。そこで、受信側において、最尤復号を行い、これによりエラーレートの増加を防止することができるようにするため、８ＰＳＫ変調だけでなく、ＴＣＭ変調をも用いるようにするのが好ましい。
【００６６】
図１８は、本発明の受信装置２の一実施の形態の構成を示すブロック図である。送信装置１より出力されて、空間を伝搬してきた、変調赤外線は、赤外線ディテクタ５１に入力するようになされている。赤外線ディテクタ５１は、図１の赤外線ディテクタ２４とおなじである。赤外線ディテクタ５１からは、変調赤外線に対応する信号、即ち、送信装置１から出力された変調信号に相当するＲＦ信号が出力される。赤外線ディテクタ５１から出力されたＲＦ信号は、受信機５２に供給するようになされている。
【００６７】
図１９は、図１８の受信機５２の構成例を示している。上述した変調信号は、受信機５２の復調回路５１に入力される。復調回路７１は、いわゆるコスタスループを有する搬送波抽出回路などを含んで構成され、変調信号をＱＰＳＫ復調やＴＣＭ８ＰＳＫ復調等の位相復調をし、これにより、図１７で説明したフォーマットの伝送データを再生する。この伝送データは、伝送チャンネルクロック再生回路７２および伝送フォーマット再生回路７４に供給される。
【００６８】
伝送チャンネルクロック再生回路７２は、復調回路７１からの伝送データに基づいて、伝送チャンネルクロックを再生し、復調回路７１、データクロック再生回路７３、伝送フォーマット再生回路７４、および周波数チェック回路７８に供給する。これにより、復調回路７１および伝送フォーマット再生回路７４では、伝送チャンネルクロックにしたがって、処理が行われる。
【００６９】
データクロック再生回路７３は、例えばＰＬＬ回路、分周回路および逓倍回路などによって構成されており、伝送チャンネルクロック再生回路７２からの伝送チャンネルクロックに基づき、その周波数を４／５倍したクロック、即ち、データブロック、およびソース情報のデータクロックを再生する。このデータクロックは、出力回路７７や出力Ｉ／Ｆ回路５９その他の必要なブロックに供給される。これにより、出力回路７７および出力Ｉ／Ｆ回路７９などでは、データクロックのタイミングで、処理が行われる。
【００７０】
なお、データクロック再生回路７３には、伝送フォーマット再生回路７４からリセット信号が供給されるようになされており、データクロック再生回路７３では、このリセット信号によって、その内蔵するＰＬＬ回路のロック位相が制御されるようになされている。
【００７１】
一方、伝送フォーマット再生回路７４は、復調回路７１からの伝送データから、送信ブロックを抽出し、バスを介して、図１５のバッファ回路３４と同様に構成されるバッファ回路７５に記憶させる。即ち、伝送フォーマット再生回路７４は、送信ブロックを構成するデータを、バッファ回路７５に対して、Ｍ方向に書き込んでいき、これにより、図１６で説明したデータブロック、およびソース情報と誤り訂正符号でなる５８×３３バイトのデータのブロック（以下、適宜、デインターリーブブロックという）を再構成することで、デインターリーブを行う。
【００７２】
伝送フォーマット再生回路７４は、上述のようにして、バッファ回路７５にデインターリーブブロックを書き込む他、伝送データの中のシンクを検出し、そのシンクのタイミングで、リセット信号を、データクロック再生回路７３に出力する。これにより、上述したように、データクロック再生回路７３のロック位相が制御される。
【００７３】
バッファ回路７５にデインターリーブブロックが記憶されると、誤り訂正回路７６は、そのデインターリーブブロックを、図３のパリティ付加回路１４における場合と同様に読み出し、誤り訂正符号に基づいて、データブロック、およびソース情報の誤り訂正を行う。そして、誤り訂正回路７６は、誤りの訂正を行ったデータブロック、およびソース情報を、バッファ回路７５に書き込む。
【００７４】
なお、本実施の形態においては、上述したように、誤り訂正符号としてリードソロモン符号が用いられており、誤り訂正回路７６は、誤り検出を可能にするための訂正コードの距離ｄ、または誤り訂正可能範囲ｒを、それぞれ１１または４などに設定し、この範囲内において誤りの訂正を行うようになされている。
【００７５】
さらに、誤り訂正回路７６は、誤りの訂正を行うことができなかったとき、そのことを表す訂正不可信号を出力回路７７に出力するようになされている。出力回路７７は、誤り訂正回路７６から訂正不可信号を受信したとき、バッファ回路７５から読み出したデータブロック、およびソース情報の出力を停止するようになされており、これにより、誤り訂正をすることができなかったデータブロック、およびソース情報が出力されるのを防止することができるようになされている。
【００７６】
誤り訂正回路７６による、バッファ回路７５へのデータブロック、およびソース情報の書き込みが終了すると、出力回路７７は、データクロック再生回路７３からのデータクロックにしたがって、バッファ回路７５からデータブロック、およびソース情報を読み出し、出力Ｉ／Ｆ回路７９に出力する。出力Ｉ／Ｆ回路７９は、やはりデータクロックにしたがって、出力回路７７からのデータブロック、およびソース情報に対し、図１５の入力Ｉ／Ｆ回路３１における場合と逆の処理を施して、出力する。
【００７７】
なお、出力回路７７には、周波数チェック回路７８から異常信号が供給されるようになされており、出力回路７７は、訂正不可信号を受信したときの他、異常信号を受信したときも、データブロック、およびソース情報の出力を停止するようになされている。
【００７８】
周波数チェック回路７８は、伝送チャンネルクロック再生回路７２から供給された伝送チャンネルクロックの周波数が正常なものかどうか、即ち、本実施の形態においては、ＩＥＣ−９５８の規格に適合した周波数である、例えば３．８４ＭＨｚ（＝４８ｋＨｚ×３２ビット×２×５／４）であるかどうかを判定する。そして、伝送チャンネルクロックの周波数が正常なものでない場合、その旨を示す異常信号を出力回路７７に出力し、これにより、出力回路７７によるデータブロック、およびソース情報の出力を停止させる。従って、この場合も、正常でないデータブロック、およびソース情報が出力されるのを防止することができる。
【００７９】
図１８に戻り、受信機５２より出力されたブロックインデックス信号とソース情報の信号は、ＣＰＵ５３に供給されるようになされている。受信機５２より出力されたデータブロックの信号は、ＣＰＵ５３およびゲート５４に供給されるようになされている。ＣＰＵ５３は、ブロックインデックス信号、ソース情報、およびデータブロックを基に、ゲート５４に所定の音声チャンネルのデータ、所定のＮＯＤブロックのデータが供給されたタイミングで、ゲート５４から音声データを出力するよう指示する信号をゲート５４に供給するようになされている。
【００８０】
ゲート５４から出力された音声データは、デコーダ５５に供給するようになされている。デコーダ５５は、ゲート５４から供給された音声データを、Ｄ／Ａコンバータ５６で音声に変換できる形式に変換し、Ｄ／Ａコンバータ５６にその変換した音声データを供給するようになされている。Ｄ／Ａコンバータ５６は、アナログに変換した音声信号をアンプ５７に供給し、アンプ５７は、音声信号をイヤホン３で聞くのに適した所定の信号レベルに増幅する。
【００８１】
ＣＰＵ５３から出力された文字データは、文字表示ＬＣＤ(Liquid Crystal Display)５８に供給され、文字表示ＬＣＤは文字データに相当する文字を表示する。
【００８２】
セレクトスイッチ５９は、音声チャンネルまたはＮＯＤのチャンネルを指定した信号を、ＣＰＵ５３に供給するようになされている。ＣＰＵ５３は、送信機６０に音声チャンネル、ＮＯＤチャンネル、または受信装置２の状態を示す情報等を含んだ受信装置データを供給するようになされている。
【００８３】
送信機６０は、入力された受信装置データに、必要な同期用の信号を付加し、４５５ＫＨｚを副搬送波としたＡＳＫ(Amplitude Shift Keying)変調して、赤外線エミッタ６１に供給するようになされている。図２０は、送信機６０より出力される伝送フォーマットを示す図である。伝送フォーマットは、音声チャンネル、ＮＯＤチャンネル、または受信装置２の状態などを示す受信装置データ２８ビットの前に、スタートビットが１ビット付加され、データ２８ビットの後ろにパリティ１ビットとストップビット２ビット付加され、トータル３２ビットからなる。
【００８４】
図２１は、送信機６０の構成例を示す図である。入力Ｉ／Ｆ回路８１、および入力回路８２は、図１５の場合と同じである。伝送フォーマット生成回路８６は、入力されたデータに、スタートビット、パリティ、およびストップビットを付加するようになされている。伝送チャンネルクロック生成回路８３は、伝送チャンネルクロックを生成し、伝送フォーマット生成回路８６と変調回路８７に供給するようになされている。変調回路８７は、伝送フォーマットに整形されたデータを、４５５ＫＨｚを副搬送波としたＡＳＫ変調して、変調信号とし、出力する。
【００８５】
図１８に戻り、送信機６０から出力された変調信号は、赤外線エミッタ６１に供給するようになされている。赤外線エミッタ６１は、図１の赤外線エミッタ２２と同じである。
【００８６】
図２２は、図１の受信機２３の構成例を示す図である。伝送チャンネルクロック再生回路４２、データクロック再生回路４３、周波数チェック回路４８、出力回路４７、および出力Ｉ／Ｆ回路４９は、図１９の場合と同じである。復調回路４１は、ＡＳＫ変調された変調信号を復調し、伝送フォーマット形式の伝送データを伝送フォーマット再生回路４４に供給する。伝送フォーマット再生回路４４は、２８ビットの音声チャンネル、ＮＯＤのチャンネル、または受信装置２の状態等を示す受信装置データを抽出し、出力回路４７に供給するようになされている。
【００８７】
図２３は、送信装置１が、受信装置２の状態示す情報を取得する場合の動作を示すフローチャートである。ステップＳ１１において、ＣＰＵ１６−１は、情報を取得する受信装置２のＤＳＴ番号の範囲を設定し、その値をＣＰＵ１６−３に送信する。ステップＳ１２において、ＣＰＵ１６−３は、情報を取得する受信装置２のＤＳＴ番号の初期値を設定する。ステップＳ１３において、ＣＰＵ１６−１は、ＣＰＵ１６−３に受信装置データとして、受信装置２の情報を取得するオペレーションコードを設定させる。ステップＳ１４において、ＣＰＵ１６−３は、所定のタイムスロットにＤＳＴ番号と所定のオペレーションコードを含んだ受信装置データを挿入し、マルチプレクサ１４−３を介して送信機２１に送信する。
【００８８】
ステップＳ１５において、ＤＳＴ番号で指定した所定の受信装置２から赤外線信号を受信したか否かを判定し、ＤＳＴ番号で指定した所定の受信装置２から赤外線信号を受信したと判定された場合、手続はステップＳ１６に進む。ステップＳ１６において、ＣＰＵ１６−１は、所定の受信装置２から受信した情報を所定の位置に記憶する。ステップＳ１５において、ＤＳＴ番号で指定した所定の受信装置２から赤外線信号を受信されなかったと判定された場合、ステップＳ１９において、該当するＤＳＴ番号の受信装置の情報取得エラー処理を実行し、ステップＳ１７に進む。
【００８９】
ステップＳ１７において、設定した全ての受信装置にＤＳＴ番号とオペレーションコードを送出したか否かを判定し、全ての受信装置にＤＳＴ番号とオペレーションコードを送出していないと判定された場合、ステップＳ１８に進む。ステップＳ１８において、ＣＰＵ１６−１は、次の情報を取得する受信装置２のＤＳＴ番号をＣＰＵ１６−３に設定させ、ステップＳ１４に進む。ステップＳ１７において、全ての受信装置にＤＳＴ番号とオペレーションコードを送出したと判定された場合、処理は終了する。
【００９０】
図２４は、受信装置２が、送信装置１より送信されたリモコンデータのオペレーションコードを実行する場合の動作を示すフローチャートである。ステップＳ３１において、ＣＰＵ５３は、ソース情報からリモコンデータのタイムスロットを算出する。ステップＳ３２において、算出されたリモコンデータのタイムスロットであるか否かを判定する。所定のタイムスロットでない場合は、ステップＳ３２に戻り、所定のタイムスロットまで処理を繰り返す。所定のタイムスロットである場合には、ステップＳ３３に進み、ＣＰＵ５３は、リモコンデータからＤＳＴ番号を抽出する。ステップＳ３４において、自己のＤＳＴ番号と同じであるか否かを判定し、抽出したＤＳＴ番号が自己のＤＳＴ番号と同一である場合には、ステップＳ３５に進む。ステップＳ３５において、ＣＰＵ５３は、リモコンデータからオペレーションコードを抽出する。ステップＳ３６において、ＣＰＵ５３は、ステップＳ３５において抽出されたオペレーションコードを実行する。ステップＳ３６にてオペレーション終了後、または、ステップＳ３４において、抽出したＤＳＴ番号が自己のＤＳＴ番号と異なると判定された場合、処理は終了する。
【００９１】
図２５は、データブロックあたり１つの受信装置２が指定されて、受信装置ステータスを送信するオペレーションコードが送信された場合の信号のタイムチャートである。最初のデータブロックのリモコンデータでは、ＤＳＴ番号に１が指定され、オペレーションコードに受信装置ステータス送信のオペレーションコードが挿入される。このデータブロックを受け取ったＤＳＴ番号１の例えば受信装置２−１は、自分自身のステータスを示す情報を、送信装置１に送信する。同様に、次のデータブロックのリモコンデータでは、ＤＳＴ番号に２が指定され、オペレーションコードに受信装置ステータス送信のオペレーションコードが挿入される。このデータブロックを受け取ったＤＳＴ番号２の例えば受信装置２−２は、自分自身のステータスを示す情報を、送信装置１に送信する。このように、データブロック毎に１つの受信装置２を指定して、受信装置のステータス情報送信のオペレーションコードを送信すれば、送信装置１は、複数の受信装置のそれぞれのステータスに関する情報が得られる。
【００９２】
このように送信装置１は、受信装置２−１乃至２−ｋそれぞれの情報を収集することができる。例えば、多数の受信装置２にその動作を指示するオペレーションコードを送出した場合、それぞれの受信装置２がそのオペレーションを実行したかを確認できる。なお、送信装置１は、受信装置２からの情報を受信する必要がない場合は、同時に複数の受信装置２に受信装置データを送信することも可能である。
【００９３】
以上、発明の実施の形態において、音声の信号を伝送する例を示したが、画像その他の信号でもかまわない。
【００９４】
なお、本明細書において、システムとは、複数の装置により構成される装置全体を表すものとする。
【００９５】
なお、上記したような処理を行うコンピュータプログラムをユーザに提供する提供媒体としては、磁気ディスク、CD-ROM、固体メモリなどの記録媒体の他、ネットワーク、衛星などの通信媒体を利用することができる。
【００９６】
【発明の効果】
請求項１に記載の送信装置、請求項６に記載の送信方法、請求項７に記載の提供媒体、並びに請求項８に記載の伝送システムによれば、ユーザは配線の制約なしに、多数のチャンネルで供給された情報を、チャンネルを選択して得ることができるだけでなく、ユーザが要求する、またはユーザに適した、多数のチャンネルで供給された信号を、伝送する。
【図面の簡単な説明】
【図１】本発明の送信装置の一実施の形態の構成例を示すブロック図である。
【図２】ブロックインデックス信号の波形を示す図である。
【図３】データブロックの形態を示す図である。
【図４】ソース情報の形態を示す図である。
【図５】データブロック内の構成を示す図である。
【図６】ＮＯＤ音声メッセージの構成を示す図である。
【図７】ソース情報内の音声チャンネルデータに対する部分の構成を示す図である。
【図８】ソース情報内のＮＯＤ音声データに対する部分の構成を示す図である。
【図９】ソース情報内の文字データに対する部分の構成を示す図である。
【図１０】ソース情報内のリモートコントロールデータに対する部分の構成を示す図である。
【図１１】音声チャンネルの１セグメント内の構成を示す図である。
【図１２】ＮＯＤ音声データの１セグメント内の構成を示す図である。
【図１３】データブロックの文字データの構成を示す図である。
【図１４】データブロック内のリモコンデータの構成を示す図である。
【図１５】送信機２１の構成例を示す図である。
【図１６】バッファ回路３４内のデータの構成を示す図である。
【図１７】送信機２１より出力される伝送フォーマットを示す図である。
【図１８】受信装置の一実施の形態の構成を示すブロック図である。
【図１９】受信機５２の構成例を示す図である。
【図２０】送信機６０より出力される伝送フォーマットを示す図である。
【図２１】送信機６０の構成例を示す図である。
【図２２】受信機２３の構成例を示す図である。
【図２３】送信装置１が、受信装置２の状態示す情報を取得する場合の動作を示すフローチャートである。
【図２４】受信装置２が、送信装置１より送信されたリモコンデータのオペレーションコードを実行する場合の動作を示すフローチャートである。
【図２５】データブロックあたり１つの受信装置２が指定されて、受信装置ステータスを送信するオペレーションコードが送信された場合の信号のタイムチャートである。
【符号の説明】
１  送信装置，２  受信装置，１１−１乃至１１−ｉ  ＯＤサーバ，１２−１乃至１２−ｊ  エンコーダ，１３  ＮＯＤサーバ，１４−１乃至１４−３  マルチプレクサ，１６−１乃至１６−４  ＣＰＵ，２１  送信機，２２  赤外線エミッタ，２３  受信機，２４，５１  赤外線ディテクタ，５２  受信機，５３  ＣＰＵ，５４  ゲート，５６  Ｄ／Ａコンバータ，５８  文字表示ＬＣＤ，６０  送信機，６１  赤外線エミッタ
【図１】
0004110613.tif 000002
【図２】
0004110613.tif 000003
【図３】
0004110613.tif 000004
【図４】
0004110613.tif 000005
【図５】
0004110613.tif 000006
【図６】
0004110613.tif 000007
【図７】
0004110613.tif 000008
【図８】
0004110613.tif 000009
【図９】
0004110613.tif 000010
【図１０】
0004110613.tif 000011
【図１１】
0004110613.tif 000012
【図１２】
0004110613.tif 000013
【図１３】
0004110613.tif 000014
【図１４】
0004110613.tif 000015
【図１５】
0004110613.tif 000016
【図１６】
0004110613.tif 000017
【図１７】
0004110613.tif 000018
【図１８】
0004110613.tif 000019
【図１９】
0004110613.tif 000020
【図２０】
0004110613.tif 000021
【図２１】
0004110613.tif 000022
【図２２】
0004110613.tif 000023
【図２３】
0004110613.tif 000024
【図２４】
0004110613.tif 000025
【図２５】
0004110613.tif 000026